(57)【要約】      （修正有）【課題】手軽に扱えてブイに付着した付着物の除去を効率的に行うことのできる衝撃工具及びチゼルを提供する。【解決手段】衝撃工具１は、前後方向に往復動するハンマー１１を内部に備えた工具本体１０と、工具本体１０の先端側に取り付けられ、ハンマー１１から受けた衝撃力を対象物に伝えるチゼル２０と、を具備し、チゼル２０の先端に形成され、ブイに当接する先端側当接部３１は、ブイの球体形状に合わせた湾曲形状を有してなる。【選択図】図１
0003219296.tif 000002
【実用新案登録請求の範囲】
【請求項１】
前後方向に往復動するハンマーを内部に備えた工具本体と、
前記工具本体の先端側に取り付けられ、前記ハンマーから受けた衝撃力を対象物に伝えるチゼルと、
を具備した、対象物である球面部を有するブイに付着した付着物を除去するために用いられる衝撃工具であって、
前記チゼルの先端に形成され、前記ブイに当接する当接部は、前記ブイの球面部に対応した凹状湾曲形状を有してなる
ことを特徴とする衝撃工具。
【請求項２】
前記チゼルの先端には、板状体が取り付けられており、前記板状体の板面における垂直方向と前記ハンマーの往復動方向とが交差しており、前記当接部が前記板状体の先端側の外縁部に設けられており、
前記板状体の基端側の外縁部に形成された基端側当接部は、直線形状を有してなる
請求項１に記載の衝撃工具。
【請求項３】
前記チゼルには、ブイに接続されたロープが挿通される切欠き状の挿通部が形成されている
請求項１又は請求項２に記載の衝撃工具。
【請求項４】
請求項１乃至請求項３のいずれか１項に記載の工具本体に脱着自在に取り付けられてなる
ことを特徴とするチゼル。
【考案の詳細な説明】
【技術分野】
【０００１】
本考案は、海上に長期間係留されるブイに付着した付着物を除去するために用いられる衝撃工具及び当該衝撃工具に取り付けられるチゼルに関する。
【背景技術】
【０００２】
従来から、海上に長期間係留される球体形状のブイに付着した付着物を除去する際には、作業者が自身の手でタガネ状のものをブイに押し当てて付着物を除去したり、例えば特許文献１に開示された球形体表面付着物除去装置を用いていた。
【先行技術文献】
【特許文献】
【０００３】
【特許文献１】特開平１１−３４２３７６号公報
【考案の概要】
【考案が解決しようとする課題】
【０００４】
しかしながら、作業者が自身の手で付着物を除去するには多大な労力を必要とし、一つのブイの付着物を除去するだけでも相当な時間が必要とされていた。また、上述の球形体表面付着物除去装置にあっては設置に広い場所を必要とし、また定期的なメンテナンス等が必要となってしまう問題があった。
【０００５】
本考案は、手軽に扱えてブイに付着した付着物の除去を効率的に行うことのできる衝撃工具を提供することを目的とする。
【０００６】
また本考案は、手軽に扱えてブイに付着した付着物の除去を効率的に行うことのできる衝撃工具に用いられるチゼルを提供することを目的とする。
【課題を解決するための手段】
【０００７】
本考案は、前後方向に往復動するハンマーを内部に備えた工具本体と、前記工具本体の先端側に取り付けられ、前記ハンマーから受けた衝撃力を対象物に伝えるチゼルと、を具備した、対象物である球面部を有するブイに付着した付着物を除去するために用いられる衝撃工具であって、前記チゼルの先端に形成され、前記ブイに当接する当接部は、前記ブイの球面部に対応した凹状湾曲形状を有してなることを特徴とする衝撃工具である。
【０００８】
かかる構成にあっては、前記ハンマーによって衝撃力を受けた前記チゼルの当接部が、ブイに付着した付着物を当該衝撃力によって効率的に除去することができる。また、前記当接部が前記ブイの球体形状に合わせた湾曲形状を有しているため、当接部と球面部との接触部位が増大し、付着物を除去する効率が飛躍的に向上する。
【０００９】
また、前記チゼルの先端には、板状体が取り付けられており、前記板状体の板面における垂直方向と前記ハンマーの往復動方向とが交差しており、前記当接部が前記板状体の先端側の外縁部に設けられており、前記板状体の基端側の外縁部に形成された基端側当接部は、直線形状を有してなる構成が提案される。
【００１０】
かかる構成とすることにより、前記基端側当接部を前記ブイに当て、後方に引っ張るように衝撃工具を作動させることによって球体形状を有する当該ブイの表面に付着した付着物の除去を点状にピンポイントで行うことができ、付着物の除去効率をさらに向上させることができる。
【００１１】
さらに、前記チゼルには、ブイに接続されたロープが挿通される切欠き状の挿通部が形成されている構成が提案される。
【００１２】
かかる構成とすることにより、例えばロープを前記挿通部に挿通した状態で前記衝撃工具を作動させ、ロープに付着した付着物を除去することもできる。
【００１３】
またさらに本考案は、前記工具本体に脱着自在に取り付けられてなることを特徴とするチゼルである。
【００１４】
かかる構成にあっては、前記チゼルを前記工具本体に装着して用いることによってブイに付着した付着物を効率的に除去することができる。
【考案の効果】
【００１５】
本考案にかかる衝撃工具は、ブイに付着した付着物を効率的に除去することができる効果がある。
【００１６】
また本考案にかかるチゼルは、工具本体に装着してブイに付着した付着物を効率的に除去することができる効果がある。
【図面の簡単な説明】
【００１７】
【図１】実施例にかかる衝撃工具の斜視図である。
【図２】（ａ）は実施例にかかる板状体の正面図であり、（ｂ）は側面図であり、（ｃ）は実施例にかかるチゼルの側面図である。
【図３】実施例にかかる衝撃工具を使用している状態を示す説明図である。
【考案を実施するための形態】
【００１８】
以下に本考案を具体化した実施例を詳細に説明する。なお、本考案は、下記に示す実施例に限定されることはなく、適宜設計変更が可能である。
【００１９】
〔実施例〕
本実施例の衝撃工具１を図１等に従って説明する。
図１等に示したように衝撃工具１は、工具本体１０と、工具本体１０の先端側に取り付けられるチゼル２０と、を備えている。
【００２０】
工具本体１０は、内部にハンマー１１を備え、ハンマー１１は工具本体１０内で前後方向に往復動自在とされている。ハンマー１１が往復動する原動力としてはエアー式や電動式等があり、特に限定されない。
【００２１】
チゼル２０は、棒状の軸部２１と、軸部２１の先端部に取り付けられた板状体３０と、を備えている。軸部２１の基端部は円柱形状をなしており、工具本体１０に取り付けられる取り付け部２２とされている。軸部２１の軸線がハンマー１１の往復動軸と同軸になるようにチゼル２０が工具本体１０に取り付けられている。
【００２２】
板状体３０は、図２（ａ），（ｂ）に示したように、長方形状の平板の一側辺が凹状に湾曲形状を有するとともに端部に向かって板厚が薄くなるように先尖り形状を有している先端側当接部３１とされている。ここで、先端側当接部３１の湾曲形状は後述するブイＸの球体形状の表面に合わせた湾曲形状とされている。また、板状体３０の先端側当接部３１とは反対側の他側辺が直線形状をなすとともに端部に向かって板圧が薄くなるように先尖り形状を有している基端側当接部３２とされている。さらに、先端側当接部３１及び基端側当接部３２とは異なる他側辺には、半円形状に切欠かれた挿通部３３が形成されている。
【００２３】
板状体３０は、図２（ｃ）に示すように、軸部２１の先端部に、軸部２１の軸線方向に対して斜めに取り付けられている。詳述すると、板状体３０の先端側当接部３１が基端側当接部３２より先端側となるように軸部２１の軸線方向に対して４５度斜めに傾いた状態で板状体３０が軸部２１の先端部に取り付けられており、板状体３０の板面における垂直方向とハンマー１１の往復動方向とが交差している。
【００２４】
衝撃工具１を使用する際には、先端側当接部３１の先端縁が略全体的に球体形状のブイＸの球面部に当接するように押し当てた状態で衝撃工具１を作動させる。ここで、先端側当接部３１はブイＸの表面に線状に当接するため、衝撃後部１を作動させることでハンマー１１の衝撃力が先端側当接部３１からブイＸの表面に連続的に伝達され、先端側当接部３１の湾曲形状に沿った面状に付着物の除去を行うことができ、作業にかかる時間が非常に短時間で済む。
【００２５】
また、基端側当接部３２の一部をブイＸの表面に点状に当接させ、衝撃工具１を手前に引くように作動させることで、ピンポイントで付着物の除去を行うことができ、先端側当接部３１と基端側当接部３２とを適宜使い分けて作業効率をさらに向上させることができる。
【００２６】
先端側当接部３１及び基端側当接部３２は、板状体３０に形成されているために工具本体１０の作動軸に対して上下方向にずれており、これによって作業中に軸部２１や工具本体１０がブイＸの表面に当たってしまうことを防止されている。
【００２７】
さらに、ブイＸに接続されたロープＹを挿通部３３に挿通した状態で衝撃工具１を作動させることで、ロープＹに付着した付着物を除去することもできる。
【００２８】
上記実施例において、各部の寸法形状は適宜自由に選択可能である。また、先端側当接部３１及び基端側当接部３２は軸部２１の先端部に直接的に形成されていても構わない。また、工具本体１０の構造は公知のものを好適に適用可能である。
【符号の説明】
【００２９】
１          衝撃工具
１０        工具本体
１１        ハンマー
２０        チゼル
２１        軸部
２２        取り付け部
３０        板状体
３１        先端側当接部
３２        基端側当接部
３３        挿通部
Ｘ          ブイ
Ｙ          ロープ
【図１】
0003219296.tif 000003
【図２】
0003219296.tif 000004
【図３】
0003219296.tif 000005